(57)【要約】【課題】  狭帯域干渉を低減するために狭帯域干渉を効率的に検出するための概念を提供する。【解決手段】  受信装置１００は、複数のサブキャリアから成るとともにシーケンシャルな時間フレームの構造を有するマルチキャリア受信信号における狭帯域干渉を検出する。受信装置１００は、所定の振幅のサブキャリアを有する第１の送信信号に基づく第１の構成受信信号と、前記第１の送信信号に基づく第２の構成受信信号とを周波数ドメインへと変換する手段１１０を備える。受信装置１００は、第１の構成受信信号スペクトルと、第２の構成受信信号スペクトル又はそれをシフトしたものとのスペクトル差分を、ある検出閾値と比較することにより狭帯域干渉を検出する手段１２０と、前記スペクトル差分のサブキャリアの強度が前記検出閾値を超える場合に、第１又は第２の構成信号スペクトルにおけるサブキャリアをキャンセルする手段１３０とを更に備える。【選択図】  図１ａ
2008199626.tif 000002
【特許請求の範囲】
【請求項１】
複数のサブキャリアから成るとともにシーケンシャルな時間フレームの構造を持つマルチキャリア受信信号における狭帯域干渉を検出する受信装置（１００）であって、
所定の振幅のサブキャリアを有する第１の送信信号に基づく第１の構成受信信号を周波数ドメインへと変換して、第１の構成受信信号スペクトルを得て、前記第１の送信信号に基づく第２の構成受信信号を周波数ドメインへと変換して、第２の構成受信信号スペクトルを得る手段（１１０）であって、前記第１の構成受信信号と前記第２の構成受信信号とが前記マルチキャリア受信信号から成るものである、変換する手段（１１０）と、
前記第１の構成受信信号スペクトルと、前記第２の構成受信信号スペクトル又は該第２の構成受信信号スペクトルをシフトしたものとの間のスペクトル差分を、ある検出閾値と比較することにより狭帯域干渉を検出する手段（１２０）と、
前記スペクトル差分のサブキャリアの強度が前記検出閾値を超える場合、前記第１の構成受信信号スペクトル又は前記第２の構成受信信号スペクトルにおけるサブキャリアをキャンセルする手段（１３０）と
を備える受信装置（１００）。
【請求項２】
狭帯域干渉が低減した構成受信信号を得るために、サブキャリアがキャンセルされた前記第１の構成受信信号スペクトル又は前記第２の構成受信信号スペクトルを時間ドメインへと変換する手段を更に備える請求項１に記載の受信装置（１００）。
【請求項３】
前記変換する手段（１１０）は、ＯＦＤＭシステムの送信シーケンスに基づく第１の構成受信信号又は第２の構成受信信号を変換するものである、請求項１又は２に記載の受信装置（１００）。
【請求項４】
前記変換する手段（１１０）は、第１の送信信号スペクトル及び第２の送信信号スペクトルに基づく第１の構成受信信号及び第２の構成受信信号を変換するものであり、
前記第２の送信信号スペクトルは、前記第１の送信信号スペクトルをシフト又はサイクリックシフトしたものである、請求項１〜３のいずれか一項に記載の受信装置（１００）。
【請求項５】
前記変換する手段（１１０）は、時間フレームの３／２倍の時間をそれぞれ有する第１の送信信号及び第２の送信信号に基づく第１の構成受信信号及び第２の構成受信信号を変換するものである、請求項１〜４のいずれか一項に記載の受信装置（１００）。
【請求項６】
前記変換する手段（１１０）は、ゼロ振幅のサブキャリアを有する第１の送信信号及び第２の送信信号に基づく第１の構成受信信号及び第２の構成受信信号を変換するものである、請求項１〜５のいずれか一項に記載の受信装置（１００）。
【請求項７】
ＯＦＤＭ受信信号における狭帯域干渉を検出する請求項１〜６のいずれか一項に記載の受信装置（１００）。
【請求項８】
サブキャリアがキャンセルされた第１の構成受信信号又は第２の構成受信信号と同期を取る手段を更に備える請求項１〜７のいずれか一項に記載の受信装置（１００）。
【請求項９】
サブキャリアがキャンセルされた第１の構成受信信号又は第２の構成受信信号に基づいて周波数オフセットを推定する手段を更に備える請求項１〜８のいずれか一項に記載の受信装置（１００）。
【請求項１０】
サブキャリアをキャンセルする前記手段（１３０）は更に、強度が前記検出閾値を超えるサブキャリアの周波数を含む周波数レンジ内のサブキャリアをキャンセルするものである、請求項１〜９のいずれか一項に記載の受信装置（１００）。
【請求項１１】
前記周波数レンジは連続する２つ以上のサブキャリアにわたるものである、請求項１０に記載の受信装置（１００）。
【請求項１２】
複数のサブキャリアから成るとともにシーケンシャルな時間フレームの構造を有するマルチキャリア受信信号における狭帯域干渉を検出する方法であって、
所定の振幅のサブキャリアを有する第１の送信信号に基づく第１の構成受信信号を周波数ドメインへと変換して、第１の構成受信信号スペクトルを得て、前記第１の送信信号に基づく第２の構成受信信号を周波数ドメインへと変換して、第２の構成受信信号スペクトルを得るステップであって、前記第１の構成受信信号と前記第２の構成受信信号とは前記マルチキャリア受信信号から成るものである、ステップと、
前記第１の構成受信信号スペクトルと、前記第２の構成受信信号スペクトル又は該第２の構成受信信号スペクトルをシフトしたものとの間のスペクトル差分を、ある検出閾値と比較することにより狭帯域干渉を検出するステップと、
前記スペクトル差分のサブキャリアの強度が前記検出閾値を超える場合に、前記第１の構成受信信号スペクトル又は前記第２の構成受信信号スペクトルにおけるサブキャリアをキャンセルするステップと
を含む方法。
【請求項１３】
請求項１２に記載の方法をコンピュータに実行させるプログラムコードを含むコンピュータプログラム。
【請求項１４】
所定の振幅のサブキャリアを有する第１のスペクトルを構成し、該第１のスペクトルをシフト又はサイクリックシフトしたものである第２のスペクトルを構成する手段（２１０）と、
第１の信号及び第２の信号を得るために、前記第１のスペクトル及び前記第２のスペクトルを時間ドメインへと変換する手段（２２０）と、
前記第１の信号及び前記第２の信号を送信する手段（２３０）と
を備える、複数のサブキャリアから成るマルチキャリア信号を送信する送信装置（２００）。
【請求項１５】
前記構成する手段（２１０）はＯＦＤＭ信号を構成するものであり、
前記変換する手段（２２０）はＯＦＤＭ信号を変換するものであり、
前記送信する手段（２３０）はＯＦＤＭ信号を送信するものである、請求項１４に記載の送信装置（２００）。
【請求項１６】
前記送信する手段（２３０）は、シーケンシャルなフレーム構造の信号を送信するものであり、
第１の干渉検出信号及び第２の干渉検出信号は、それぞれ時間フレームの３／２倍の時間を有するものである、請求項１４又は１５に記載の送信装置（２００）。
【請求項１７】
前記第１のスペクトル及び前記第２のスペクトルは、ゼロ振幅のサブキャリアを含むものである、請求項１４〜１６のいずれか一項に記載の送信装置（２００）。
【請求項１８】
所定の振幅のサブキャリアを有する第１のスペクトルを構成し、該第１のスペクトルをシフト又はサイクリックシフトしたものである第２のスペクトルを構成するステップと、
第１の信号及び第２の信号を得るために、前記第１のスペクトル及び前記第２のスペクトルを時間ドメインへと変換するステップと、
前記第１の信号及び前記第２の信号を送信するステップと
を含む、複数のサブキャリアから成るマルチキャリア信号を送信する方法。
【請求項１９】
請求項１８に記載の方法をコンピュータに実行させるプログラムコードを含むコンピュータプログラム。
【請求項２０】
請求項１〜１１のいずれか一項に記載の受信装置（１００）と、請求項１４〜１７のいずれか一項に記載の送信装置（２００）とを備える通信システム。
【発明の詳細な説明】
【技術分野】
【０００１】
本発明は、マルチキャリアダイナミックスペクトルシェアリングシステムに関し、具体的には共有スペクトルデータ伝送における狭帯域干渉の検出に関する。
【背景技術】
【０００２】
マルチキャリアダイナミックスペクトルシェアリング（ＤｙＳＳ：Dynamic Spectrum Sharing）システムという名称は、システムが広帯域で、かつ他の狭帯域サービスがアクティブとなるように動作するという事実に由来する。特にＯＦＤＭシステム（ＯＦＤＭ：Orthogonal Frequency Domain Multiplexing）は、干渉を受けるスペクトルにおいてサブキャリアの不連続なグループを使用することができる。特に、未変調あるいはバーチャルとも呼ばれるサブキャリアは、可能性のある全ての干渉を許容可能なレベルまで抑えるために、狭帯域通信システムによって占有される周波数区間に配置される。更に、使用許可が免除されている帯域にあっては、アクティブなＯＦＤＭサブキャリアでも他の信号、例えばBluetooth（登録商標）からの干渉の影響を受ける可能性がある。信号スペクトル内の強い狭帯域干渉（ＮＢＩ：Narrowband Interference）は、受信機の同期タスクを著しく複雑なものにする。
【０００３】
一般に、同期及び周波数補正のために同期プリアンブルを活用する全てのＯＦＤＭシステムは、例えばスペクトルシェアリングシステムの場合において、狭帯域信号の有害な干渉の影響を受ける。スペクトルシェアリングは、例えば４Ｇ（第４世代）システムなどの無線システムの将来において重要な役割を果たすと考えられていることから、このことは特に不利である。また帯域幅は乏しいリソースであるため、これらのシステムは、アクティブな無線システムの数が徐々に増加しつつあるときに、起こり得る帯域内干渉に対処するための何かうまい方法を見つけ出す必要がある。
【０００４】
ＮＢＩが強いと、タイミングと周波数とを得るためにいくつかの繰り返し部分から成る専用のトレーニングブロックを使用するという一般的なアプローチでは、スペクトルシェアリングシステムが大きく劣化するという影響が現れる。従って、従来システムの不利な点は、全ての受信機の同期及び周波数補正のタスクが狭帯域干渉の影響を受け、このため全体のシステム性能が低下する恐れがあるということである。
【発明の開示】
【発明が解決しようとする課題】
【０００５】
本発明の目的は、狭帯域干渉を低減するために狭帯域干渉を効率的に検出するための概念を提供することにある。
【課題を解決するための手段】
【０００６】
上記目的は、請求項１に記載の受信装置、請求項１４に記載の送信装置、及び請求項２０に記載の通信システムにより達成される。
【０００７】
上記目的は、複数のサブキャリアから成り、シーケンシャルな時間フレーム（sequential time frames）の構造を持つマルチキャリア受信信号における狭帯域干渉を検出する受信装置により達成される。本受信装置は、所定の振幅のサブキャリアを有する第１の送信信号に基づく第１の構成受信信号を周波数ドメインへ変換して、第１の構成受信信号スペクトル（composed receive signal spectrum）を得て、前記第１の送信信号に基づく第２の構成受信信号を周波数ドメインへ変換して、第２の構成受信信号スペクトルを得る手段を備えている。ここで、第１の構成受信信号及び第２の構成受信信号はマルチキャリア受信信号から成る。本受信装置は、第１の構成受信信号スペクトルと、第２の構成受信信号スペクトル又は第２の構成受信信号スペクトルをシフトしたものとの間のスペクトル差分を、ある検出閾値と比較することにより狭帯域干渉を検出する手段と、スペクトル差分のサブキャリアの強度が前記検出閾値を超える場合に第１の構成受信信号スペクトル又は第２の構成受信信号スペクトルにおけるサブキャリアをキャンセルする手段とを更に備えている。
【０００８】
上記目的は更に、複数のサブキャリアから成るマルチキャリア信号を送信する送信装置により達成される。本送信装置は、所定の振幅のサブキャリアを有する第１のスペクトルを構成するとともに、第１のスペクトル又は第１のスペクトルをシフトしたもの若しくはサイクリックシフトしたものと同一の第２のスペクトルを構成する手段を備えている。本送信装置は、第１の干渉検出信号及び第２の干渉検出信号を得るために、第１のスペクトル及び第２のスペクトルを時間ドメインへ変換する手段と、第１の干渉検出信号及び第２の干渉検出信号を送信する手段とを更に備えている。
【０００９】
上記目的は更に、前記受信装置と前記送信装置とを備える通信システムにより達成される。
【発明の効果】
【００１０】
本発明は、特別に作られた送信信号プリアンブルを送信することにより狭帯域干渉が検出できるという知見に基づいている。本発明によれば、プリアンブルは２つの部分から構成される。一方の部分のスペクトルは、他方の部分と同一のものか、又はシフトしたものである。受信装置において、この２つの部分が受信され、周波数ドメインへ変換される。シフトしたものである場合にはそのシフトされたスペクトルをバックシフトするとともに、得られた２つのスペクトル間の差分を決定することにより、対象とするサブキャリアに基づく信号部分は互いにキャンセルし合い、それぞれ大きく減少する。しかしながら、干渉が一方の信号に重畳（superimpose）している場合には、干渉をシフトしたものは互いにキャンセルせず、このため容易に検出できる。プリアンブルを構成する２つの部分が同一の場合にはバックシフトする必要はなく、プリアンブルのこれら２つの部分の２つのスペクトルの差分は直接決定することができる。プリアンブルの２つの同一部分の受信信号において干渉成分の位相又は振幅が変動する場合には、その干渉成分を検出することができる。従って、本発明の実施形態は、狭帯域干渉を検出し、それに基づいてより良い時間同期とより良い周波数オフセット補正を可能とし、その結果としてより良いシステム性能を実現することができるという利点を提供する。
【発明を実施するための最良の形態】
【００１１】
以下、本発明の実施の形態について添付図面を参照して詳細に説明する。
【００１２】
図１ａは、複数のサブキャリアから成り、シーケンシャルな時間フレームの構造を持つマルチキャリア受信信号における狭帯域干渉を検出する受信装置１００の一実施形態を示している。受信装置１００は、第１の構成受信信号スペクトルを得るために、所定の振幅のサブキャリアを有する第１の送信信号に基づく第１の構成受信信号を周波数ドメインへ変換し、第２の構成受信信号スペクトルを得るために、第１の送信信号に基づく第２の構成受信信号を周波数ドメインへ変換する手段１１０を備えている。ここで、第１の構成受信信号及び第２の構成受信信号はマルチキャリア受信信号から成る。受信装置１００は、第１の構成受信信号スペクトルと、第２の構成受信信号スペクトル又は第２の構成受信信号スペクトルをシフトしたものとの間のスペクトル差分を、ある検出閾値と比較することにより狭帯域干渉を検出する手段１２０を更に備えている。受信装置１００は、スペクトル差分のサブキャリアの強度が前記検出閾値を超える場合に、第１の構成受信信号スペクトル又は第２の構成受信信号スペクトルにおけるサブキャリアをキャンセルする手段１３０を更に備えている。
【００１３】
ある実施形態によれば、受信装置１００は、狭帯域干渉が低減された第１の構成受信信号又は第２の構成受信信号を得るために、サブキャリアがキャンセルされた第１の構成受信信号スペクトル又は第２の構成受信信号スペクトルを時間ドメインへ変換する手段を更に備えている。別の実施形態では、第１の構成受信信号及び第２の構成受信信号はＯＦＤＭシステムの送信シーケンスに基づいている。別の実施形態では、第１の構成受信信号及び第２の構成受信信号は、第１の送信信号スペクトル及び第２の送信信号スペクトルに基づいている。ここで、第２の送信信号スペクトルは、第１の送信信号スペクトルをシフトしたものか、あるいはサイクリックシフトしたものである。別の実施形態では、第１の構成受信信号及び第２の構成受信信号は、時間フレームの３／２倍の時間（duration）を有する第１の送信信号及び第２の送信信号に基づいている。別の実施形態では、第１の構成受信信号及び第２の構成受信信号は、ゼロ振幅のサブキャリアを更に有する第１の受信信号及び第２の受信信号に基づいている。
【００１４】
別の実施形態では、受信装置１００は、ＯＦＤＭ受信信号における狭帯域干渉を検出することができる。ＯＦＤＭ受信信号は、ＩＥＥＥ８０２．１１又はＷＩＮＮＥＲ（Wireless World Initiative New Radio）に準拠した信号とすることができる。別の実施形態では受信装置１００は、サブキャリアがキャンセルされた第１の構成受信信号又は第２の構成受信信号と同期を取る手段を更に備えている。更に受信装置１００は、サブキャリアがキャンセルされた第１の構成受信信号又は第２の構成受信信号に基づいて周波数オフセットを推定する手段を備えることができる。サブキャリアをキャンセルする手段は更に、強度が検出閾値を超えるサブキャリアの周波数を含む周波数レンジ内のサブキャリアをキャンセルすることができる。更に一実施形態によれば、サブキャリアをキャンセルする手段は、連続する２つ以上のサブキャリアにわたる周波数レンジ内のサブキャリアをキャンセルすることができる。
【００１５】
図１ｂは、複数のサブキャリアから成るマルチキャリア信号を送信する送信装置２００の一実施形態を示している。送信装置２００は、所定の振幅のサブキャリアを有する第１のスペクトルを構成するとともに、第１のスペクトル又は第１のスペクトルをシフトしたもの若しくはサイクリックシフトしたものと同一の第２のスペクトルを構成する手段２１０を備えている。送信装置２００は、第１の干渉検出信号及び第２の干渉検出信号を得るために、第１のスペクトル及び第２のスペクトルを時間ドメインへ変換する手段２２０を更に備えている。送信装置２００は、第１の干渉検出信号及び第２の干渉検出信号を送信する手段２３０を更に備えている。
【００１６】
送信装置２００の一実施形態によれば、構成する手段２１０はＯＦＤＭ信号を構成するものであり、変換する手段２２０はＯＦＤＭ信号を変換するものであり、送信する手段２３０はＯＦＤＭ信号を送信するものである。ＯＦＤＭ信号はＩＥＥＥ８０２．１１又はＷＩＮＮＥＲ仕様に準拠した信号とすることができる。
【００１７】
更に送信装置２００の一実施形態によれば、送信する手段２３０はシーケンシャルフレーム構造の信号を送信するものであり、第１の干渉検出信号及び第２の干渉検出信号はそれぞれ時間フレームの３／２倍の時間を有する。更に、第１のスペクトル及び第２のスペクトルはゼロ振幅のサブキャリアを含むことができる。
【００１８】
図１ｃは、受信装置１００の一実施形態のブロック図である。受信信号は、上述したように狭帯域干渉推定１５０を受ける。狭帯域干渉は周波数ドメインにおいて狭帯域干渉キャンセラ１５５によってキャンセルすることができる。狭帯域干渉が低減された信号に基づいて、タイミング及び周波数推定部１６０は、タイミング及び周波数の補正値をタイミング及び周波数補正部１６５へ提供することができる。タイミング及び周波数が補正されると、チャネル推定部１７０は無線チャネルを推定して、チャネル推定値をデータ検出部１７５へ提供することができる。データ検出部１７５は最終的にデータを検出するものである。図１ｃは任意のマルチキャリアシステムの受信装置１００の概念図である。狭帯域干渉が推定され、抑制された後、例えばＳ＆Ｃ（Schmidl and Cox）アルゴリズムなどの標準的なアルゴリズムを用いてタイミング及び周波数の推定を実行することができる。
【００１９】
次に、本発明の実施形態の利点を示すために、所望の信号が１００ＭＨｚの帯域幅を有し、サブキャリア数が２０４８である場合のＷＩＮＮＥＲシナリオのシミュレーションについて説明する。図２は、第１のブロック２６０と第２のブロック２７０とから成るＷＩＮＮＥＲプリアンブル２５０の構造を示している。２つのブロック２６０及び２７０はそれぞれ３／２Ｎのシンボル長を有する。
【００２０】
プリアンブルブロック２５０は３Ｎ時間ドメインシンボルから成る。これはＮＢＩ源を推定してキャンセルするために使用される。ＮＢＩ源がＮＢＩ推定段階で検出されて、干渉したサブキャリアがＮＢＩキャンセル段階でゼロに設定された後、プリアンブルにおいて実質的に干渉のない時間ドメインサンプルが、タイミング同期及びキャリア周波数オフセット推定ユニットへ提供される。図２に示されているプリアンブル構造は、サイズが３／２Ｎのシンボルから成る２つのハーフブロックに分割できる。第１のハーフブロック２６０は、シーケンス｛ｂ（ｎ）｝（ｎ＝１，．．．，３／２Ｎ）を含み、第２のハーフブロック２７０は、シーケンス｛ｂ1（ｎ）｝（ｎ＝１，．．．，３／２Ｎ）を含む。ただしｂ1（ｎ）は、以下に示すように、サブキャリア間隔Δｆ＝１／ＮＴに対応する周波数だけ回転させたｂ（ｎ）のレプリカである。
【数１】
2008199626.tif 000003
【００２１】
プリアンブルで送信される時間ドメインサンプルｔｄｓ（time domain sample）をｓ（ｎ）で表すと、以下のようになる。
【数２】
2008199626.tif 000004
【００２２】
ＮＢＩ推定アルゴリズムは、プリアンブルの具体的な構造に依存し、フレーム同期エラーθ（最大Ｎ／２）に対してＮＢＩ推定アルゴリズムがロバストなものになるように作られている。プリアンブルは２つのＮ次元ブロック
【数３】
2008199626.tif 000005
と、
【数４】
2008199626.tif 000006
とにグループ分けすることができる。θ＜Ｎ／２とすると、両方のベクトルは所望の信号のプリアンブルブロックのｔｄｓのみを含み、従って以下のようになる。
【数５】
2008199626.tif 000007
ここで
【数６】
2008199626.tif 000008
は、長さがＬのサンプルのチャネルｈ（ｎ）によってフィルタリングされた後の所望の信号であり、ｉ（ｎ）は干渉を表している。ノイズとキャリア周波数オフセットを無視すると、ベクトルｒのＤＦＴの第ｍ番目の出力Ｒ（ｍ）は以下のようになる。
【数７】
2008199626.tif 000009
そして、ベクトルｒ(1)のＤＦＴの第ｍ番目の出力Ｒ(1)（ｍ）は以下のようになる。
【数８】
2008199626.tif 000010
ここで
【数９】
2008199626.tif 000011
は、ベクトルｓθ＝［ｓ（１−θ），．．．，ｓ（Ｎ−θ）］TのＤＦＴの第ｍ番目の出力であり、
【数１０】
2008199626.tif 000012
は、ベクトル
【数１１】
2008199626.tif 000013
のＤＦＴの第ｍ番目の出力である。またＩ（ｍ）及びＩ(1)（ｍ）は２つのベクトルにおけるＮＢＩのＤＦＴである。
【００２３】
プリアンブルは、互いにサブキャリア間隔に等しい周波数だけ回転した２つのシーケンスから成るため、Ｓθ（ｍ）とＳθ(1)（ｍ）との間に以下のような位置のシフト又はサイクリックシフトが存在する。
【数１２】
2008199626.tif 000014
この性質は、ＮＢＩの存在を明らかにするために利用することができる。メトリックΛ（ｍ）＝Ｒ（ｍ）−Ｒ(1)（ｍ−１）は以下のように表される。
【数１３】
2008199626.tif 000015
【００２４】
ここで、チャネルが隣接するサブキャリア間で顕著な（sensible）変化を示さない、つまり
【数１４】
2008199626.tif 000016
と仮定すると、所望の信号はキャンセルされ、メトリックは以下のようになる。
【数１５】
2008199626.tif 000017
【００２５】
この後、｜Λ（ｍ）｜2を適切な閾値Ｐthと比較して、ＮＢＩの存在を検出することができる。図３ａ〜図３ｄは、ＮＢＩ推定アルゴリズムを示している。図３ａ〜図３ｄは狭帯域干渉を決定する方法の一実施形態を示す。図３ａは第１のスペクトルを示している。図中、所定の振幅を持つ複数のサブキャリア３００が示されている。更に、図３ａは狭帯域干渉に対応する２つのサブキャリア３１０を示している。図３ｂは、シフト又はサイクリックシフトしたサブキャリア３２０を有する第２の受信ブロックの受信スペクトルを示している。図３ｂに示されているスペクトルは、図３ａに示されているものと同じ狭帯域干渉３１０を示している。狭帯域干渉３１０を決定するため、図３ｂに示されているスペクトルは１つのサブキャリア間隔だけシフトされ、その結果、図３ｃのスペクトルが得られる。図３ｃは、図３ａに示されたものと同じである、対象とするサブキャリア３００を示している。しかしながら、これらのサブキャリア３００は、図３ｂに示されたものをシフト又はサイクリックシフトしたものであり、狭帯域干渉３３０はシフトされたものである。図３ａと図３ｃのスペクトルの差分を評価すると、所定の振幅を持つ全てのサブキャリア３００は消去され、図３ｄに示すように狭帯域干渉のインコヒーレントな重ね合わせ（superposition）だけが残る。図３ｄに基づいて、狭帯域干渉の存在が結論付けられる。
【００２６】
上記の実施態様は、キャリア周波数オフセットν＞０．２／ＮＴが存在する場合も、その性能はやはり安定しており、劣化（detoriate）しないという利点を有する。ＷＩＮＮＥＲシナリオについて示した実施形態は、より大きなオフセットに対処する必要があり、任意の周波数オフセットに対して非常にロバストなものとすることが容易である。周波数オフセットνの影響は、ベクトルｓθ及びｓθ(1)の対応する成分の間の固定した位相回転φ＝２π（３／２）νとして現れる。ＤＦＴは線形作用素（linear operator）であることから、この固定した回転位相もｓθ及びｓθ(1)に対して並進（translate）を及ぼす。これは次式で与えられる。
【数１６】
2008199626.tif 000018
【００２７】
従って、この位相オフセットφの影響を取り除くため、メトリックΛ（ｍ）は以下のように修正される。
【数１７】
2008199626.tif 000019
【００２８】
図３から、上記ＮＢＩ推定アルゴリズムは、実際にＮＢＩであるところのサブキャリアに隣接するサブキャリアにおいても干渉の存在を検出できることが明らかである。それゆえ、ＮＢＩキャンセルアルゴリズムは、効率性の点で必要されるものよりも若干多い複数のサブキャリアを除去するが、この影響は、例えばＷＩＮＮＥＲシナリオにおけるように多数のサブキャリアによって補われ、システム性能への影響は無視することができる。図４は、異なる周波数オフセットνに対するビット誤り率と、雑音電力に対するビットエネルギーの密度とのシミュレーション結果のグラフである。この図から、ν＝０．１．．．０．９の値に対して性能の劣化は起きていないことが見て取れる。この事実は本発明の実施形態の利点を実証するものである。
【００２９】
本発明に係る方法の一定の実施要件に応じて、本発明に係る方法はハードウェア又はソフトウェアにより実施することができる。本発明に係る方法を実行できるようにプログラミング可能なコンピュータシステムと協働することができるデジタル記憶媒体、特に電子的に読取り可能な制御信号が保存された磁気ディスク、ＤＶＤ又はＣＤを使用して本発明を実施することができる。従って一般に、本発明は、本発明に係る方法をコンピュータに実行させる働きをするプログラムコードが機械可読媒体に記憶されたコンピュータプログラム製品である。言い換えると、本発明に係る方法は、本発明の少なくとも１つの方法をコンピュータに実行させるプログラムコードを含むコンピュータプログラムである。
【図面の簡単な説明】
【００３０】
【図１ａ】本発明に係る受信装置の一実施形態を示す構成図である。
【図１ｂ】本発明に係る送信装置の一実施形態を示す構成図である。
【図１ｃ】本発明に係る受信装置の一実施形態のブロック図である。
【図２】ＷＩＮＮＥＲフレームのプリアンブル構造を示す図である。
【図３】狭帯域干渉推定の一実施形態の説明図である。
【図４】キャリア周波数オフセットの異なる値に対するビット誤り率のシミュレーション結果を示す図である。
【符号の説明】
【００３１】
１００  受信装置
１１０  変換する手段
１２０  検出する手段
１３０  キャンセルする手段
１５０  ＮＢＩ推定部
１５５  周波数ドメインＮＢＩキャンセラ
１６０  タイミング及び周波数推定部
１６５  タイミング及び周波数補正部
１７０  チャネル推定部
１７５  データ検出部
２００  送信装置
２１０  構成する手段
２２０  変換する手段
２３０  送信する手段
２５０  ＷＩＮＮＥＲプリアンブル
２６０  第１ブロック
２７０  第２ブロック
３００、３２０  所定の振幅のサブキャリア
３１０  狭帯域干渉
３３０  シフトされた狭帯域干渉
【図１ａ】
2008199626.tif 000020
【図１ｂ】
2008199626.tif 000021
【図１ｃ】
2008199626.tif 000022
【図２】
2008199626.tif 000023
【図３】
2008199626.tif 000024
【図４】
2008199626.tif 000025
【外国語明細書】
2008199626.tif 000026
2008199626.tif 000027
2008199626.tif 000028
2008199626.tif 000029
2008199626.tif 000030
2008199626.tif 000031
2008199626.tif 000032
2008199626.tif 000033
2008199626.tif 000034
2008199626.tif 000035
2008199626.tif 000036
2008199626.tif 000037
2008199626.tif 000038
2008199626.tif 000039
2008199626.tif 000040
2008199626.tif 000041
2008199626.tif 000042
2008199626.tif 000043
2008199626.tif 000044
2008199626.tif 000045
2008199626.tif 000046
2008199626.tif 000047